(57)【要約】【課題】コードの途中部におけるコードリール本体の配設位置の調整が容易なコードリールを提供する。【解決手段】コード２をそれぞれ巻装した第１ボビン４及び第２ボビン５と、両ボビン４、５を巻取方向に常時付勢するボビン付勢手段６と、両ボビン４、５を連動するボビン連動手段７であって、両方のコード２を繰出方向へ操作していない状態では、巻取方向への両ボビン４、５の回転を規制し、設定値以下の操作力でコード２を繰出方向へ操作すると、一方のボビンが繰出方向に回転するとともに、他方のボビンが一方のボビンに連動して巻取方向に回転し、設定値を超える操作力でコード２を繰出方向へ操作すると、両ボビン４、５の連動を解除して、操作した側のボビンのみが繰出方向に回転するように両ボビン４、５を連動するボビン連動手段７を備えた。【選択図】図２
2010180055.tif 000002
【特許請求の範囲】
【請求項１】
２本のコードと、該２本のコードを個別に巻取ったり繰出したり可能なコードリール本体とを備えたコードリールであって、
前記コードリール本体は、
前記コードをそれぞれ巻装した第１ボビン及び第２ボビンと、
前記両ボビンを巻取方向に常時付勢するボビン付勢手段と、
前記両ボビンを連動するボビン連動手段であって、両方のコードを繰出方向へ操作していない状態では、巻取方向への両ボビンの回転を規制し、設定値以下の操作力でコードを繰出方向へ操作すると、一方のボビンが繰出方向に回転するとともに、他方のボビンが一方のボビンに連動して巻取方向に回転し、設定値を超える操作力でコードを繰出方向へ操作すると、両ボビンの連動を解除して、操作した側のボビンのみが繰出方向に回転するように両ボビンを連動するボビン連動手段と、
前記ボビン連動手段による両ボビンの巻取方向への回転規制を解除する解除手段と、
前記両ボビンに巻装されたコードを電気的に接続する接続手段と、
を備えたことを特徴とするコードリール。
【請求項２】
前記第１ボビンのコードと、第２ボビンのコードとを、前記コードリール本体の両側へ繰出した請求項１記載のコードリール。
【請求項３】
前記第１ボビンを支持する第１回転軸と、第２ボビンを支持する第２回転軸とを相互に間隔をあけて平行配置し、前記ボビン連動手段として、巻取方向と繰出方向について相互に逆方向に第１ボビンと第２ボビンとを回転連動させるとともに、両ボビンの巻取方向へ回転を規制する回転連動手段と、前記回転連動手段を操作して、コードの繰出方向への操作力が設定値以下のときには両ボビンを連動させ、設定値を超えるときには、両ボビンの連動を解除する連動操作手段とを設けた請求項１又は２記載のコードリール。
【請求項４】
前記回転連動手段として、第１ボビンの外周部に第１歯車を設け、第２ボビンの外周部に第２歯車を設け、両歯車に係脱可能に噛合する連動歯車を、第１及び第２歯車の回転中心を含む面外で且つ両回転中心と平行な支軸を中心として回転自在に設け、前記連動操作手段として、第１及び第２歯車に噛合する方向へ連動歯車を常時付勢する連動用付勢手段を設け、両ボビンに対するコードの巻装方向を、コードの繰出操作により連動歯車が第１歯車と第２歯車の少なくとも一方から離間する方向へ移動するように、相互に逆方向に設定し、前記解除手段として第１及び第２歯車の噛合を解除する方向へ連動歯車を操作する操作部材を設けた請求項３記載のコードリール。
【請求項５】
前記ボビン付勢手段として、第１回転軸とコードリールのケーシング間に、第１ボビンをコードの巻取方向に常時付勢する第１ボビン付勢手段を設けるとともに、第２回転軸とコードリールのケーシング間に、第２ボビンをコードの巻取方向に常時付勢する第２ボビン付勢手段を設けた請求項３又は４記載のコードリール。
【請求項６】
前記第１ボビンと第２ボビンを同一回転軸上に設け、前記コードを両ボビンに対して相互に逆方向に巻装し、前記ボビン連動手段として、両ボビンの巻取方向への相対回転を規制する規制手段と、コードの繰出方向への操作力が設定値以下のときには両ボビンを一体的に連動回転させ、設定値を超えるときには、両ボビンの連動回転を解除する連動操作手段とを設けた請求項１又は２記載のコードリール。
【請求項７】
前記ボビン連動手段として、第１ボビンを回転軸に対して相対回転自在で且つ軸方向に移動自在に設け、第２ボビンを回転軸に対して相対回転不能で且つ軸方向に移動自在に設け、軸方向に対面する対面部を第１ボビンと回転軸とに形成し、両対面部を圧接方向へ常時付勢する連動用付勢手段を設け、両対面部に、前記規制手段として、コードの巻取方向に対する両ボビンの相対回転を規制する規制部を設けるとともに、前記連動操作手段として、繰出方向に対する両ボビンの相対回転の操作力が、設定値以下の場合には、両ボビンを一体的に連動回転させ、設定値を超える場合には、両ボビンの連動回転を解除する連動操作部を設け、前記解除手段として、前記回転軸に、連動用付勢手段の付勢力に抗して前記規制部の係合を解除する操作部を形成した請求項６記載のコードリール。
【発明の詳細な説明】
【技術分野】
【０００１】
本発明は、イヤフォンコードやＵＳＢケーブルなどの各種コード類（以下、単にコードと称する。）を巻取可能なコードリールに関するものである。
【背景技術】
【０００２】
コードリールとして、イヤフォンコードやＵＳＢケーブルなどのコードと、該コードを巻取ったり繰出したり可能なコードリール本体とを備え、コードリール本体として、コードを巻装したボビンと、ボビンを回転自在に支持する回転軸と、ボビンをコードの巻取方向に常時付勢する付勢手段と、巻取方向へのボビンの回転を規制し、繰出方向へのボビンの回転を許容するワンウェイクラッチと、該ワンウェイクラッチによるボビンの回転規制を解除する解除手段とを備えたものが広く実用化されている。
【０００３】
また、前記コードの途中部をボビンに固定して、コードの一側部と他側部とを逆方向にボビンに巻装し、両側部のコードを１つのボビンに対して同時に巻き取ったり繰り出したりすることで、ブラシなどの電気的な接続部を省略したコードリールも提案され、実用化されている（例えば、特許文献１参照。）。
【０００４】
更に、２本のコードをそれぞれ個別に巻装した２つのボビンと、両ボビンを回転自在に同軸上に支持する回転軸と、両ボビンをコードの巻取方向に個別に常時付勢する２つの付勢手段と、巻取方向へのボビンの回転を個別に規制し、繰出方向へのボビンの回転を個別に許容する２つのワンウェイクラッチと、該ワンウェイクラッチによるボビンの回転規制を個別に解除する２つの解除手段とを備え、両ボビンに巻装したコードを個別に巻き取ったり繰り出したりできるように構成したコードリールも提案されている（例えば、特許文献２参照。）。
【０００５】
【特許文献１】特開平８−２３７３４９号公報
【特許文献２】特開平１０−１３９２９０号公報
【発明の開示】
【発明が解決しようとする課題】
【０００６】
前記特許文献１記載のコードリールでは、ブラシなどの電気的な接続部を省略できるので、コードリールの構成を大幅に簡単にできるが、コードを繰出した状態で、ボビンを含む大きなコードリール本体がコードの長さ方向の略中央部に配置され、コードリール本体の配設位置を繰出したコードの長さ方向に対して位置調整できないことから、次のような問題が発生する。即ち、このコードリールを、例えば携帯電話や携帯用オーディオ機器などのイヤフォンコードに適用すると、衣類のポケット等に収納した携帯電話や携帯用オーディオ機器の機器と、耳に固定したイヤフォン間の略中央部の目立つ場所に、大きな塊状のコードリール本体を配置させる必要があり、コードリール本体が着衣の外観を損ねることがある。また、着衣の外観を損ねない配設位置があったとしても、繰出したコードの中央部にコードリール本体が配置されることから、該配設位置にコードリール本体を固定しようとすると、一方のコードの長さを適正に設定すると、他方のコードが過剰に繰出されて、該コードにより着衣の外観を損ねたり、該コードが他物に引っ掛かり易くなったりするという問題があった。
【０００７】
一方、特許文献２記載のコードリールでは、２つのボビンに対してそれぞれ個別にコードを巻取ったり繰出したりできるので、各種作業の邪魔にならないようにコードリール本体の配設位置を調整したり、着衣の外観を損ねないようにコードリール本体の配設位置を調整できる。しかし、２つのボビンから繰出すコードの長さを個別に調整する必要があり、また一方のコードの長さを調整するとコード全体の長さが変わってしまうので、例えばコードの全長を変更しないようにしつつ、コードリール本体の配設位置を調整する場合には、一方のボビンからのコードの繰出操作と、他方のボビンへのコードの巻取操作の２つの操作を行なう必要があり、コードの途中部におけるコードリール本体の配設位置の調整作業が煩雑になるという問題があった。
【０００８】
本発明の目的は、コードの途中部におけるコードリール本体の配設位置の調整が容易なコードリールを提供することである。
【課題を解決するための手段】
【０００９】
本発明に係るコードリールは、２本のコードと、該２本のコードを個別に巻取ったり繰出したり可能なコードリール本体とを備えたコードリールであって、前記コードリール本体は、前記コードをそれぞれ巻装した第１ボビン及び第２ボビンと、前記両ボビンを巻取方向に常時付勢するボビン付勢手段と、前記両ボビンを連動するボビン連動手段であって、両方のコードを繰出方向へ操作していない状態では、巻取方向への両ボビンの回転を規制し、設定値以下の操作力でコードを繰出方向へ操作すると、一方のボビンが繰出方向に回転するとともに、他方のボビンが一方のボビンに連動して巻取方向に回転し、設定値を超える操作力でコードを繰出方向へ操作すると、両ボビンの連動を解除して、操作した側のボビンのみが繰出方向に回転するように両ボビンを連動するボビン連動手段と、前記ボビン連動手段による両ボビンの巻取方向への回転規制を解除する解除手段と、前記両ボビンに巻装されたコードを電気的に接続する接続手段とを備えたものである。
【００１０】
このコードリールでは、例えば一方のコードがボビンを含むコードリール本体に係止されて、該ボビンの巻取方向への回転が規制された状態、または一方のコードを手で保持するなどして、該コードの巻取方向への移動を規制した状態で、他方のコードを、ボビン付勢手段による付勢力に抗して設定値を超える操作力で繰出方向へ操作すると、ボビン連動手段により、他方のボビンのみが繰出方向に回転して、該他方のコードのみがコードリール本体から繰出されることになる。一方、両方のコードを、ボビン付勢手段による付勢力に抗して設定値を超える操作力で繰出方向へ操作すると、ボビン連動手段による両ボビンの連動が解除されて、両方のボビンが繰出方向に回転し、両方のコードがコードリール本体から繰出されることになる。こうして、コードを繰出した状態で、コードの繰出操作を止めると、ボビン付勢手段により両ボビンが巻取方向へ回転しようとするが、この回転がボビン連動手段により規制されて、繰出した位置にコードが保持されることになる。
【００１１】
また、こうしてコードを繰出した状態で、設定値以下の操作力で一方のコードを繰出方向へ操作すると、一方のボビンが繰出方向に回転して、一方のコードが繰出されるとともに、他方のボビンが一方のボビンに連動して巻取方向に回転して、他方のコードが他方のボビンに巻取られ、あたかも定尺な一本のコードに沿ってコードリール本体が移動したかのように、コードの全長が略一定に維持された状態で、両方のコードの長さが同時に調整される。つまり、コードを一定長さ繰出した状態で、繰出したコードにおけるコードリール本体の配設位置を調整できるので、例えば携帯電話や携帯用オーディオ機器などのイヤフォンコードに適用した場合には、衣類のポケット等に収納した携帯電話や携帯用オーディオ機器などの機器と、耳に固定したイヤフォン間に必要な長さのコードを繰出した後、着衣の外観を損ねないようにコードリール本体の配設位置を調整することが可能となり、コードの途中部におけるコードリール本体の配設位置の調整が容易になる。なお、繰出したコードをボビンに巻き取る際には、解除手段により、ボビン連動手段による両ボビンの巻取方向への回転規制を解除して、ボビン付勢手段の付勢力により繰出したコードを巻き取ることができる。
【００１２】
前記コードリールにおいて、第１及び第２ボビンの直径は、同じに設定することもできるし、異なる直径に設定することもできる。例えば、イヤフォンのコードにおいては、イヤフォンとコードリール本体間におけるコードの長さが、ジャックとコードリール本体間の長さよりも長くなるように調整することが多いので、前者のコードを後者のコードよりも長めに設定して、前者のコードを巻取るボビンの直径を後者のコードを巻取るボビンの直径よりも大きく設定することで、必要な長さのコードを確保しつつ、コードリール本体を極力小型に構成することもできる。
【００１３】
ここで、前記第１ボビンのコードと、第２ボビンのコードとを、前記コードリール本体の両側へ繰出すことが好ましい実施の形態である。第１及び第２ボビンから同じ側へコードを繰出すことも可能であるが、コードリール本体の両側へ繰出すと、２本のコードの端部をそれぞれ手で保持した状態で、一方の手を一方のコードの取付位置へ、また他方の手を他方のコードの取付位置へ、コードを繰出しながら移動させることで、適正長さのコードを繰出すことができる。例えば携帯電話や携帯用オーディオ機器などのイヤフォンコードに適用した場合には、２本のコードの端部をそれぞれ手で保持した状態で、一方の手を携帯電話や携帯用オーディオ機器などの機器を収容する衣類のポケット等へ、また他方の手を耳の位置へ、コードを繰出しながら移動させることで、必要量のコードを容易に繰出すことができる。そして、このように必要量のコードを繰出した状態で、コードリール本体の配設位置を、前述のように繰出したコードの全長を変化させることなく調整することになる。
【００１４】
第１ボビンと第２ボビンとは、２つの回転軸に個別に設けることもできるし、１つの回転軸に同軸上に設けることもできる。
【００１５】
（１）第１ボビンと第２ボビンとを２つの回転軸に個別に設ける場合
この場合には、前記第１ボビンを支持する第１回転軸と、第２ボビンを支持する第２回転軸とを相互に間隔をあけて平行配置し、前記ボビン連動手段として、巻取方向と繰出方向について相互に逆方向に第１ボビンと第２ボビンとを回転連動させるとともに、両ボビンの巻取方向へ回転を規制する回転連動手段と、前記回転連動手段を操作して、コードの繰出方向への操作力が設定値以下のときには両ボビンを連動させ、設定値を超えるときには、両ボビンの連動を解除する連動操作手段とを設けることが好ましい実施の形態である。このように構成すると、第１ボビン及び第２ボビンを同軸上に設けた場合よりも、コードリールを薄型に構成できる。また、ボビンに対してボビン付勢手段を個別に組み付けることができるので、ボビン付勢手段の組立性を向上できる。
【００１６】
また、前記回転連動手段として、第１ボビンの外周部に第１歯車を設け、第２ボビンの外周部に第２歯車を設け、両歯車に係脱可能に噛合する連動歯車を、第１及び第２歯車の回転中心を含む面外で且つ両回転中心と平行な支軸を中心として回転自在に設け、前記連動操作手段として、第１及び第２歯車に噛合する方向へ連動歯車を常時付勢する連動用付勢手段を設け、両ボビンに対するコードの巻装方向を、コードの繰出操作により連動歯車が第１歯車と第２歯車の少なくとも一方から離間する方向へ移動するように、相互に逆方向に設定し、前記解除手段として第１及び第２歯車の噛合を解除する方向へ連動歯車を操作する操作部材を設けることが好ましい実施の形態である。
【００１７】
このように構成したボビン連動手段では、コードの繰出方向への操作力が設定値以下の場合には、連動歯車が第１及び第２歯車にそれぞれ噛合した状態となり、コードの繰出方向への操作力が設定値を超えると、連動歯車が繰出操作したボビンの歯車から離間する方向へ移動して、連動歯車と該歯車との噛合が外れる。一方、コードは、第１ボビンと第２ボビンとに相互に逆方向に巻装されているので、設定値以下の操作力で一方のコードを繰出方向に操作すると、一方のボビンが繰出し方向に回転して、一方のボビンからコードが繰出されるとともに、他方のボビンが一方のボビンに連動して巻取方向に回転して、他方のボビンにコードが巻き取られることになる。しかし、コードの繰出方向への操作力が設定値を越えると、連動歯車が繰出操作したボビンの歯車から離間して、連動歯車と該歯車との噛合が外れ、第１歯車と第２歯車との連動が解除され、繰出操作したボビンからコードが繰出されることになる。つまり、一方のコードが最後まで巻き取られて、一方のボビンの巻取方向への更なる回転が出来なくなったり、一方のコードを手で保持することで、一方のボビンの巻取方向への移動を規制したりした状態で、他方のコードを、設定値を越える操作力で繰出方向へ操作すると、両ボビンの連動が解除されて、他方のボビンからのみコードが繰出されることになる。また、両方のコードを、設定値を越える操作力で繰出方向へ操作すると、両方のボビンからコードが繰出されることになる。なお、回転連動手段としては、回転力の伝達安定性に優れていることから、歯車を採用することが好ましいが、回転力を相互に伝達できる構成のものであれば、歯車以外の任意の構成、例えば、摩擦により回転力を伝達可能なゴムリングを外周部に設けたローラや、外周部に相互に凹凸嵌合する凹部と凸部とを備えたローラなどを採用することもできる。
【００１８】
更に、前記ボビン付勢手段として、第１回転軸とコードリールのケーシング間に、第１ボビンをコードの巻取方向に常時付勢する第１ボビン付勢手段を設けるとともに、第２回転軸とコードリールのケーシング間に、第２ボビンをコードの巻取方向に常時付勢する第２ボビン付勢手段を設けることができる。このように構成すると、ボビン付勢手段としての渦巻きバネなどの部品点数は増えるが、第１ボビン付勢手段と第２ボビン付勢手段とを、第１ボビンと第２ボビンとに個別に組み付けることができるので、ボビン付勢手段の組付性を向上できる。ただし、組付性は多少低下するが、例えば２つの渦巻きを有する渦巻きバネからなるボビン付勢手段を用い、このボビン付勢手段の両端部を第１回転軸及び第２回転軸にそれぞれ固定することで、両ボビンを巻取方向に常時付勢することも可能である。
【００１９】
（２）第１ボビンと第２ボビンとを１つの回転軸に同軸上に設ける場合
この場合には、前記第１ボビンと第２ボビンを同一回転軸上に設け、前記コードを両ボビンに対して相互に逆巻きに巻装し、前記ボビン連動手段として、両ボビンの巻取方向への相対回転を規制する規制手段と、コードの繰出方向への操作力が設定値以下のときには両ボビンを一体的に連動回転させ、設定値を超えるときには、両ボビンの連動回転を解除する連動操作手段とを設けることが好ましい実施の形態である。このように構成すると、第１ボビンと第２ボビンとを異なる回転軸上に設けた場合よりも、コードリールは厚肉になるが、側面寸法を小型の構成できるとともに、部品点数を少なくできる。
【００２０】
前記ボビン連動手段として、第１ボビンを回転軸に対して相対回転自在で且つ軸方向に移動自在に設け、第２ボビンを回転軸に対して相対回転不能で且つ軸方向に移動自在に設け、軸方向に対面する対面部を第１ボビンと回転軸とに形成し、両対面部を圧接方向へ常時付勢する連動用付勢手段を設け、両対面部に、前記規制手段として、コードの巻取方向に対する両ボビンの相対回転を規制する規制部を設けるとともに、前記連動操作手段として、繰出方向に対する両ボビンの相対回転の操作力が、設定値以下の場合には、両ボビンを一体的に連動回転させ、設定値を超える場合には、両ボビンの連動回転を解除する連動操作部を設け、前記解除手段として、前記回転軸に、連動用付勢手段の付勢力に抗して前記規制部の係合を解除する操作部を形成することが好ましい実施の形態である。
【発明の効果】
【００２１】
本発明に係るコードリールでは、２つのボビンを備えた従来のコードリールと同様に、２本のコードを個別に繰出すことができ、また解除手段の操作により２本のコードを同時に巻き取ることができる。加えて、コードを繰出した状態で、設定値以下の操作力で一方のコードを繰出方向へ操作すると、一方のボビンが繰出方向に回転して、一方のコードが繰出されるとともに、他方のボビンが一方のボビンに連動して巻取方向に回転して、他方のコードが他方のボビンに巻取られ、あたかも定尺な一本のコードに沿ってコードリール本体が移動したかのように、コードの全長が略一定に維持された状態で、両方のコードの長さが同時に調整されるので、コードの途中部におけるコードリール本体の配設位置の調整が容易になる。
【発明を実施するための最良の形態】
【００２２】
以下、本発明を実施するための最良の形態について、図面を参照しながら説明する。
（第１実施形態）
図１〜図８に示すように、第１実施形態のコードリール１は、２本のコード２と、該２本のコード２を個別に巻取ったり繰出したり可能なコードリール本体３とを備えている。本実施形態では、端部にＵＳＢ端子２ａを設けたＵＳＢケーブルに、本発明のコードリールを適用した場合について説明するが、本発明のコードリール１は、ＵＳＢケーブル以外のコード、例えばイヤフォンコードやオーディオ機器等の配線コードなどに対しても同様に適用することができる。なお、本実施形態では、図２を基準に前後左右を定義して説明する。
【００２３】
コードリール本体３は、相互に逆方向にコード２をそれぞれ巻装した第１ボビン４及び第２ボビン５と、両ボビン４、５を巻取方向に常時付勢するボビン付勢手段６と、両ボビン４、５を連動するボビン連動手段７であって、巻取方向と繰出方向について相互に逆方向に第１ボビン４と第２ボビン５とを回転連動させるとともに、両ボビン４、５の巻取方向への回転を規制する回転連動手段８と、回転連動手段８を操作して、コード２の繰出方向への操作力が設定値以下のときには両ボビン４、５を連動させ、設定値を超えるときには、両ボビン４、５の連動を解除する連動操作手段９とを有するボビン連動手段７と、ボビン連動手段７による両ボビン４、５の巻取方向への回転規制を解除する解除手段１０と、両ボビン４、５に巻装されたコード２を電気的に接続する接続手段１１とを備えている。
【００２４】
コードリール本体３のケーシング１２は、前後１対の分割ケースで構成されている。ケーシング１２の左右の側壁部の下端部には２本のコード２をケーシング１２外へ繰出すための排出孔１２ａが形成され、ケーシング１２の前壁部と後壁部の高さ方向の中央部には左右のボビン４、５を回転自在に支持するための１対の支持孔１２ｂが左右方向に間隔をあけて形成されている。なお、本実施形態では、２本のコード２をコードリール本体３の両側へ排出したが、コード２の排出方向は任意に設定可能で、例えば２本のコード２をコードリール本体３の同じ側へ排出するように構成することもできる。
【００２５】
次に、第１ボビン４及び第２ボビン５について説明するが、両ボビン４、５は同一部材で構成されているので、第１ボビン４についてのみ説明する。第２ボビン５は、第１ボビン４における「第１」を「第２」に読み替えるとともに、符号４を符号５に読み代えたものと同様に構成されている。
【００２６】
第１ボビン４は、第１回転軸４ａを中央部に一体的に形成した前部ガイド板４ｂと、外周に第１歯車４ｃを形成した後部ガイド板４ｄを備えている。
【００２７】
前部ガイド板４ｂの中央部には後方へ突出する筒部４ｅが一体的に形成され、前部ガイド板４ｂと後部ガイド板４ｄ間においてこの筒部４ｅにはコード２が巻装されている。筒部４ｅの後壁部には前後方向に延びる第１回転軸４ａが一体的に形成されるとともに、１対の係止部４ｆが後方へ突出状に形成されている。前部ガイド板４ｂは、第１回転軸４ａの前端部と後端部とを、ケーシング１２の前壁部と後壁部の支持孔１２ｂにそれぞれ嵌合させることによってケーシング１２に回転自在に支持されている。
【００２８】
後部ガイド板４ｄの中央部には後方へ突出するスリーブ４ｇが形成され、第１回転軸４ａの後部をスリーブ４ｇに挿通させることで、後部ガイド板４ｄは前部ガイド板４ｂと同軸上に支持されている。また、後部ガイド板４ｄの中央部には１対の係合孔４ｈが形成され、後部ガイド板４ｄは、この係合孔４ｈに前部ガイド板４ｂの係止部４ｆを嵌合させることで、前部ガイド板４ｂと一体的に回転するように構成されている。
【００２９】
ボビン付勢手段６として、第１ボビン４を巻取方向へ常時付勢する渦巻きバネからなる第１ボビン付勢手段６ａと、第２ボビン５を巻取方向へ付勢する渦巻きバネからなる第２ボビン付勢手段６ｂとが設けられている。第１ボビン付勢手段６ａの一端部はスリーブ４ｇ及び第１回転軸４ａのスリット４ｊを挿通してボビン４に係止され、他端部はケーシング１２に一体的に設けた係止ピン１２ｄに係止されている。第２ボビン付勢手段６ｂの一端部はスリーブ５ｇ及び回転軸５ａのスリット５ｊを挿通してボビン５に係止され、他端部はケーシング１２に一体的に設けた係止ピン１２ｅに係止されている。なお、本実施の形態では、１対のボビン付勢手段６ａ、６ｂを設けて、第１ボビン４と第２ボビン５とをケーシング１２に対してそれぞれ個別に巻取方向へ付勢したが、１つのボビン付勢手段により両ボビン４、５を巻取方向へ常時付勢するように構成することも可能である。具体的には、２つの渦巻きを有する渦巻きバネを用い、その両端部を第１回転軸４ａと第２回転軸５ａに固定して、両ボビン４、５を巻取方向へ常時付勢することもできる。
【００３０】
ボビン連動手段７について説明すると、第１ボビン４の後部ガイド板４ｄの外周部には第１歯車４ｃが形成され、第２ボビン５の後部ガイド板５ｄの外周部には第２歯車５ｃが形成され、両歯車４ｃ、５ｃ間には両歯車４ｃ、５ｃに係脱可能に噛合する連動歯車１５が設けられている。連動歯車１５を両歯車４ｃ、５ｃに係脱可能に支持するため、ケーシング１２の左右方向の中央部には、ケーシング１２の上側に配置される操作部１６ａと、操作部１６ａの前後両端部からケーシング１２内へ延びる脚部１６ｂとを有する略コ字状の操作部材１６が設けられている。連動歯車１５には支軸１５ａが一体的に形成され、連動歯車１５は、支軸１５ａを介して前後の脚部１６ｂの下端部間に回転自在に架設支持されている。ケーシング１２の前壁部の内面と後壁部の内面の左右方向の中央部には、左右１対の案内壁部１２ｃが内側へ突出状に形成され、操作部材１６は、前後の脚部１６ｂが案内壁部１２ｃにより上下方向に案内されることで、上下方向に移動自在に案内されている。操作部１６ａにはケーシング１２の上壁部を挿通するガイドピン１６ｃが下方へ突出状に形成され、操作部材１６とケーシング１２の上壁部間においてガイドピン１６ｃには操作部材１６を常時上方へ付勢するコイルバネからなる連動用付勢手段１７が外装され、連動歯車１５は操作部材１６を介して第１及び第２歯車４ｃ、５ｃと噛合する上方側へ常時付勢されている。尚、解除手段１０は、ボビン連動手段７の操作部材１６と連動用付勢手段１７などで構成されている。
【００３１】
接続手段１１について説明すると、両ボビン４、５の前部ガイド板４ｂ、５ｂの前面には導電体からなる内接点リング１８と外接点リング１９とが半径方向に隙間をあけて内外にそれぞれ設けられ、内接点リング１８と前部ガイド板４ｂ、５ｂ間には、内接点リング１８と外接点リング１９との短絡を防止するための絶縁シート２０が設けられている。ケーシング１２の前壁部の内面側には、左右のボビン４、５の内接点リング１８に摺接して、左右の内接点リング１８同士を電気的に接続する内接続片２１と、左右のボビン４、５の外接点リング１９に摺接して、左右の外接点リング１９同士を電気的に接続する外接続片２２とが設けられている。両ボビン４、５に巻装されたコード２の基端部は内接点リング１８と外接点リング１９にそれぞれ電気的に接合され、左右のボビン４、５に巻装されたコード２は、両接点リング１８、１９と両接続片２１、２２を介して、左右のボビン４、５が回転しても電気的な接続が維持されるように構成されている。なお、本実施の形態では、コード２として２本の電線からなるものを用いたが、３本以上の電線からなるコード２に対しても、電線の本数に応じて接点リング及び接続片の個数を設定することで、本発明を同様に適用できる。また、前部ガイド板４ｂ、５ｂの前面に接点リング１８、１９を直接的に固定したが、内外の接点リングをエッチング等で形成した配線基板や配線フィルムを前部ガイド板４ｂ、５ｂの前面に固定することも好ましい実施の形態である。
【００３２】
このコードリール１では、コード２を繰出操作していないときには、図５に示すように、連動歯車１５が第１及び第２歯車４ｃ、５ｃにそれぞれ噛合した状態となり、コード２を繰出操作すると、連動用付勢手段１７の付勢力に抗して、連動歯車１５が第１及び第２歯車４ｃ、５ｃから離間する方向、つまり下側へ移動しようとするが、コード２を繰出操作した場合であっても、繰出方向への操作力が、ボビン付勢手段６と連動用付勢手段１７の合計の付勢力からなる設定値以下の場合には、連動歯車１５が第１及び第２歯車４ｃ、５ｃにそれぞれ噛合した状態が維持され、操作力が設定値を超えると、図７に示すように、連動歯車１５と第１及び第２歯車４ｃ、５ｃとの噛合が外れ、第１及び第２歯車４ｃ、５ｃが連動回転しなくなる。このとき、連動歯車１５と第１及び第２歯車４ｃ、５ｃとは、連動用付勢手段１７により接触する方向に付勢されているので、歯同士がカチカチと順番に接触しながら相対回転することになり、繰出方向へのコード２の操作力を緩めると、最寄の歯同士が噛合して、連動歯車１５と第１及び第２歯車４ｃ、５ｃとの噛合が復帰することになる。
【００３３】
また、コード２を繰出操作していないときには、ボビン付勢手段６により第１歯車４ｃ及び第２歯車５ｃは巻取方向に付勢されて相互に逆方向に回転しようとし、しかもその回転方向への力により、連動歯車１５が第１及び第２歯車４ｃ、５ｃに対して噛合する方向（上方）へ移動しようとするので、第１及び第２歯車４ｃ、５ｃは連動歯車１５を介してその回転が規制されることになり、操作部材１６を下側へ押し操作すると、図６に示すように、連動歯車１５が第１及び第２歯車４ｃ、５ｃから完全に離間して、第１及び第２歯車４ｃ、５ｃの連動回転が解除され、ボビン付勢手段６の付勢力で、第１及び第２ボビン５が巻取方向へ回転しようとする。
【００３４】
このため、図８（ａ）に示す状態から、設定値を越える操作力でコード２を繰出方向に操作すると、図７に示すように、連動歯車１５が第１及び第２歯車４ｃ、５ｃから離間する方向へ移動して、連動歯車１５と第１及び第２歯車４ｃ、５ｃとの噛合が外れ、繰出操作したボビンからコード２が繰出されることになる。つまり、一方のコード２が最後まで巻き取られて、一方のボビンの巻取方向への更なる回転が出来なくなったり、一方のコード２を手で保持することで、一方のボビンの巻取方向への移動を規制したりした状態で、他方のコード２を、設定値を越える操作力で繰出方向へ操作すると、両ボビン４、５の連動が解除されて、他方のボビンからのみコード２が繰出されることになる。また、両方のコード２を、設定値を越える操作力で繰出方向へ操作した場合も同様に、図７に示すように、連動歯車１５が第１及び第２歯車４ｃ、５ｃから離間する方向へ移動して、連動歯車１５と第１及び第２歯車４ｃ、５ｃとの噛合が外れ、図８（ｂ）に示すように、コードリール本体３の両側へコード２が繰出されることになる。
【００３５】
また、こうしてコード２を繰出した状態で、設定値以下の操作力で一方のコード２を繰出方向へ操作すると、連動歯車１５が第１及び第２歯車４ｃ、５ｃに噛合して、第１歯車４ｃと第２歯車５ｃとが連動され、一方のボビンが繰出方向に回転すると、他方のボビンが巻取方向に回転し、図８（ｃ）に示すように、あたかも定尺な一本のコード２に沿ってコードリール本体３が左右に移動したかのように、コード２の全長が略一定に維持された状態で、両方のコード２の長さが同時に調整される。つまり、コード２を一定長さ繰出した状態で、繰出したコード２におけるコードリール本体３の配設位置を調整できるので、例えば携帯電話や携帯用オーディオ機器などのイヤフォンコードに適用した場合には、衣類のポケット等に収納した携帯電話や携帯用オーディオ機器などの機器と、耳に固定したイヤフォン間に必要な長さのコード２を繰出した後、着衣の外観を損ねないようにコードリール本体３の配設位置を調整することが可能となり、コード２の途中部におけるコードリール本体３の配設位置の調整が容易になる。なお、繰出したコード２をボビン４、５に巻き取る際には、操作部材１６を下側へ押し操作して、図６に示すように、連動歯車１５を第１及び第２歯車４ｃ、５ｃから完全に離間させ、ボビン付勢手段６により第１及び第２ボビン４、５を巻取方向に回転させて、図８（ａ）に示すように、コードリール本体３に対してコード２を巻き取ることになる。
【００３６】
尚、連動歯車１５の個数は任意に設定することが可能であるが、一方のボビンを繰出方向へ回転操作すると、他方のボビンが巻取方向に回転するように、連動歯車１５を奇数個に設定する場合には、図２に示すように、左右のボビン４、５に対して相互に逆方向にコード２を巻装することになり、連動歯車１５を偶数個に設定する場合には、左右のボビン４、５に対して相互に順方向にコード２を巻装することになる。また、連動歯車１５を省略して、第１歯車４ｃと第２歯車５ｃとを直接的に噛合するように構成することも可能である。回転連動手段８としては、回転力の伝達安定性に優れていることから、歯車を採用することが好ましいが、回転力を相互に伝達できる構成のものであれば、歯車以外の任意の構成、例えば、摩擦により回転力を伝達可能なゴムリングを外周部に設けたローラや、外周部に相互に凹凸嵌合する凹部と凸部とを備えたローラなどを採用することもできる。
【００３７】
（第２実施形態）
図９〜図１３に示すように、第２実施形態のコードリール３０は、２本のコード３１と、該２本のコード３１を個別に巻取ったり繰出したり可能なコードリール本体３２とを備えている。本実施形態では、端部にＵＳＢ端子３１ａを設けたＵＳＢケーブルに、本発明のコードリール３０を適用した場合について説明するが、本発明のコードリール３０は、ＵＳＢケーブル以外のコード、例えばイヤフォンコードやオーディオ機器等の配線コードなどに対しても同様に適用することができる。なお、本実施形態では、図１０を基準に上下左右を定義して説明する。
【００３８】
コードリール本体３２は、相互に逆方向にコード３１をそれぞれ巻装した第１ボビン３３及び第２ボビン３４と、第１ボビン３３と第２ボビン３４を同軸上に支持する回転軸３５と、両ボビン３３、３４を巻取方向に常時付勢するボビン付勢手段３６と、両ボビン３３、３４を連動するボビン連動手段３７であって、両ボビン３３、３４の巻取方向への相対回転を規制する規制手段３８と、コード３１の繰出方向への操作力が設定値以下のときには両ボビン３３、３４を一体的に連動回転させ、設定値を超えるときには、両ボビン３３、３４の連動回転を解除する連動操作手段３９とを有するボビン連動手段３７と、ボビン連動手段３７による両ボビン３３、３４の巻取方向への回転規制を解除する解除手段４０と、両ボビン３３、３４に巻装されたコード３１を電気的に接続する接続手段４１とを備えている。
【００３９】
コードリール本体３２のケーシング４２は、上下１対の分割ケースで構成されている。ケーシング４２の周壁部の左部及び右部には２本のコード３１をケーシング４２外へ繰出すための排出孔４２ａがそれぞれ形成され、ケーシング４２の上壁部と下壁部の中央部には回転軸３５を回転自在に支持するための上下１対の支持孔４２ｂが形成されている。なお、本実施形態では、２本のコード３１をコードリール本体３２の両側へ排出したが、コード３１の排出方向は任意に設定可能で、例えば２本のコード３１をコードリール本体３２の同じ側から排出するように構成することもできる。
【００４０】
第１ボビン３３は、スリーブ３３ａと、スリーブ３３ａの上下両端部から外方へ延びる円板状の上部ガイド板３３ｂ及び下部ガイド板３３ｃと、上部ガイド板３３ｂの外周部から上方へ延びる円筒状の収容筒部３３ｄとを備え、合成樹脂材料などからなる一体成形品で構成され、上下のガイド板３３ｂ、３３ｃ間においてスリーブ３３ａにはコード３１が巻装されている。尚、第１ボビン３３を、上部ガイド板３３ｂ及び収容筒部３３ｄと、下部ガイド板３３ｃ及びスリーブ３３ａとに分割構成し、両者を接着剤や凹凸嵌合などで相対回転しないよう結合して回転軸３５に組み付けることもできる。
【００４１】
第２ボビン３４は、スリーブ３４ａと、スリーブ３４ａの上端部から外方へ延びる円板状の上部ガイド板３４ｂを備え、合成樹脂材料などの一体成形品で構成され、上部ガイド板３４ｂとケーシング４２の下壁部間においてスリーブ３４ａには、第１ボビン３３のコード３１とは逆向きにコード３１が巻装されている。ただし、この第２ボビン３４に関しても、第１ボビン３３と同様に、スリーブ３４ａの上下両端部に円板状のガイド板を設けて、両ガイド板間においてスリーブ３４ａにコード３１を巻装することも可能である。
【００４２】
ボビン付勢手段３６は、渦巻きバネで構成され、第１ボビン３３の収容筒部３３ｄ内に収容されている。ボビン付勢手段３６の渦巻きの中心側の一端部は回転軸３５に形成したスリット３５ａに挿通固定され、他端部は収容筒部３３ｄに形成した切欠部３３ｅに引っ掛けて固定されている。このボビン付勢手段３６により、両ボビン３３、３４は、後述するようにそれぞれ巻取方向に常時付勢される。
【００４３】
ボビン連動手段３７について説明すると、第１ボビン３３と第２ボビン３４とが回転軸３５に同軸上に上下に配置され、第１ボビン３３は、回転軸３５に対して相対回転自在で且つ軸方向に移動自在に設けられている。回転軸３５の途中部には外方へ延びる環状の鍔部３５ｂが一体的に形成され、鍔部３５ｂと第１ボビン３３の上部ガイド板３３ｂとの対面部には、規制手段３８として、コード３１の巻取方向に対する両ボビン３３、３４の相対回転を規制する規制部３３ｊ、３５ｊが設けられるとともに、連動操作手段３９として、繰出方向に対する両ボビン３３、３４の相対回転の操作力が、設定値以下の場合には、両ボビン３３、３４を一体的に連動回転させ、設定値を超える場合には、両ボビン３３、３４の連動回転を解除する連動操作部３３ｋ、３５ｋが設けられている。鍔部３５ｂに対面する第１ボビン３３の上部ガイド板３３ｂの下面と鍔部３５ｂの上面には軸心直交方向の環状の平坦面３３ｆ、３５ｆがそれぞれ形成され、平坦面３３ｆ、３５ｆには周方向に対して１８０度の間隔をあけて２つの突部３３ｇ、３５ｇが突出状にそれぞれ形成されている。規制部３３ｊ、３５ｊ及び連動操作部３３ｋ、３５ｋは、突部３３ｇ、３５ｇの周方向の両側部にそれぞれ形成され、規制部３３ｊ、３５ｊは、回転軸３５の軸心を含む半径方向の面で構成され、連動操作部３３ｋ、３５ｋは平坦面３３ｆ、３５ｆに対して一定角度θだけ一方向に傾斜させた傾斜面で構成されている。
【００４４】
回転軸３５には十文字状の係止突部３５ｃが鍔部３５ｂに連なってその下側に設けられ、第２ボビン３４のスリーブ３４ａの内面には回転軸３５の係止突部３５ｃが挿通する十文字状の係止孔３４ｃが形成され、第２ボビン３４は、係止孔３４ｃと係止突部３５ｃとの係合により、回転軸３５に対して相対回転不能で且つ軸方向に移動自在に支持されている。回転軸３５の下部にはケーシング４２の下壁部に形成した支持孔４２ｂを挿通する下側軸部３５ｄが形成され、回転軸３５の係止突部３５ｃとケーシング４２の下壁部間において下側軸部３５ｄには、回転軸３５を上方へ常時付勢する圧縮コイルバネからなる連動用付勢手段４３が設けられ、この連動用付勢手段４３の付勢力により、回転軸３５の鍔部３５ｂと第１ボビン３３の上部ガイド板３３ｂとが圧接されるように構成されている。
【００４５】
ケーシング４２の上壁部の支持孔４２ｂには操作キャップ４４が上下移動自在に内嵌され、操作キャップ４４の下端部には支持孔４２ｂの口縁部に下側から当接するフランジ部４４ａが形成されている。操作キャップ４４には回転軸３５の上端部が回転自在に内嵌され、操作キャップ４４は回転軸３５を介して連動用付勢手段４３により、フランジ部４４ａが支持孔４２ｂの口縁部に当接して、操作キャップ４４の上部が一定量だけ上方へ突出するように付勢されている。解除手段４０は、操作キャップ４４と連動用付勢手段４３などで構成され、連動用付勢手段４３の付勢力に抗して操作キャップ４４とともに回転軸３５を下方へ押し操作することで、回転軸３５の鍔部３５ｂと第１ボビン３３の上部ガイド板３３ｂとが離間して、回転軸３５と第１ボビン３３との連動が解除されるように構成されている。
【００４６】
接続手段４１について説明すると、第１ボビン３３の下部ガイド板３３ｃの下面には導電体からなる内接点リング４５と外接点リング４６とが半径方向に隙間をあけて内外にそれぞれ設けられ、内接点リング４５と下部ガイド板３３ｃ間には、内接点リング４５と外接点リング４６との短絡を防止するための絶縁シート４７が設けられている。第２ボビン３４の上部ガイド板３４ｂには内接点リング４５に摺接する内接続片４８と、外接点リング４６に摺接する外接続片４９とが設けられている。第１ボビン３３に巻装されたコード３１の基端部は内接点リング４５と外接点リング４６に電気的に接合され、第２ボビン３４に巻装されたコード３１の基端部は内接続片４８と外接続片４９とに電気的に接合され、第１及び第２ボビン３４に巻装されたコード３１は、両接点リング４５、４６と両接続片４８、４９を介して、上下のボビン３３、３４が相対回転しても電気的な接続が維持されるように構成されている。なお、本実施の形態では、コード３１として２本の電線からなるものを用いたが、３本以上の電線からなるコード３１に対しても、電線の本数に応じてリング及び接続片の個数を設定することで、本発明を同様に適用できる。また、下部ガイド板３３ｃの下面に接点リングを直接的に固定したが、内外の接点リングをエッチング等で形成した配線基板や配線フィルムを下部ガイド板３３ｃの下面に固定することも好ましい実施の形態である。
【００４７】
このコードリール３０では、コード３１を繰出操作していないときには、図１２（ａ）に示すように、ボビン付勢手段３６による巻取方向への付勢力で、回転軸３５の規制部３５ｊと第１ボビン３３の規制部３３ｊとが係合して、第１ボビン３３が回転軸３５に対して巻取方向へ相対回転することが規制されるとともに、回転軸３５に相対回転不能に設けた第２ボビン３４が、第１ボビン３３に対して巻取方向へ相対回転することが規制されることになる。
【００４８】
一方、ボビン付勢手段３６の付勢力に抗して少なくとも一方のコード３１を繰出操作すると、図１２（ａ）に示すように、第１ボビン３３と第２ボビン３４（回転軸３５）の一方が繰出方向に移動しようとするが、このときの操作力が、ボビン付勢手段３６と連動用付勢手段４３の合計の付勢力からなる設定値以下の場合には、図１２（ｂ）（ｃ）に示すように、両ボビン３３、３４が繰出方向に多少相対回転するものの、それ以上の相対回転が連動操作部３３ｋ、３５ｋにより規制され、第１ボビン３３と第２ボビン３４とが一塊になって同方向へ回転する。つまり、一方のボビンからコード３１を繰出すと、他方のボビンにコード３１が巻き取られる。しかし、操作力が設定値を越えると、図１２（ｄ）に示すように、回転軸３５の連動操作部３５ｋが第１ボビン３３の連動操作部３３ｋを順次乗り越えて、繰出操作したボビンからのみコード３１を繰出すことができ、繰出方向へのコード３１の操作力を緩めると、最寄の規制部３３ｊ、３５ｊ同士が係合して、両ボビン３３、３４が一塊となり、繰出した状態にコード３１が保持されることになる。
【００４９】
このため、図１３（ａ）に示す状態から、設定値を越える操作力でコード３１を繰出方向に操作すると、図１２（ｄ）に示すように、回転軸３５の連動操作部３５ｋと第１ボビン３３の連動操作部３３ｋとが相互に乗り越えて、第１ボビン３３と第２ボビン３４とが繰出方向に相対回転可能となり、繰出操作したボビンからコード３１が繰出されることになる。つまり、一方のコード３１が最後まで巻き取られて、一方のボビンの巻取方向への更なる回転が出来なくなったり、一方のコード３１を手で保持することで、一方のボビンの巻取方向への移動を規制したりした状態で、他方のコード３１を、設定値を越える操作力で繰出方向へ操作すると、両ボビン３３、３４の連動が解除されて、他方のボビンからのみコード３１が繰出されることになる。また、両方のコード３１を、設定値を越える操作力で繰出方向へ操作した場合も同様に、図１２（ｄ）に示すように、回転軸３５の連動操作部３５ｋと第１ボビン３３の連動操作部３３ｋとが相互に乗り越えて、第１ボビン３３と第２ボビン３４とが繰出方向に相対回転可能となり、図１３（ｂ）に示すように、コードリール本体３２の両側へコード３１が繰出されることになる。
【００５０】
また、こうしてコード３１を繰出した状態で、設定値以下の操作力で一方のコード３１を繰出方向へ操作すると、第１ボビン３３と第２ボビン３４とが一塊になって回転して、一方のボビンが繰出方向に回転すると、他方のボビンが巻取方向に回転し、図１３（ｃ）に示すように、あたかも定尺な一本のコード３１に沿ってコードリール本体３２が左右に移動したかのように、コード３１の全長が略一定に維持された状態で、両方のコード３１の長さが同時に調整される。つまり、コード３１を一定長さ繰出した状態で、繰出したコード３１におけるコードリール本体３２の配設位置を調整できるので、例えば携帯電話や携帯用オーディオ機器などのイヤフォンコード３１に適用した場合には、衣類のポケット等に収納した携帯電話や携帯用オーディオ機器などの機器と、耳に固定したイヤフォン間に必要な長さのコード３１を繰出した後、着衣の外観を損ねないようにコードリール本体３２の配設位置を調整することが可能となり、コード３１の途中部におけるコードリール本体３２の配設位置の調整が容易になる。なお、繰出したコード３１をボビンに巻き取る際には、操作キャップ４４を下側へ押し操作して、図１２（ｅ）に示すように、規制部３３ｊ、３５ｊ及び連動操作部３３ｋ、３５ｋを相互に離間させ、ボビン付勢手段３６により第１及び第２ボビン３４を巻取方向に回転させて、図１３（ａ）に示すように、コードリール本体３２に対してコード３１を巻き取ることになる。
【００５１】
次に、前記第２実施形態のコードリール３０のボビン連動手段３７及び解除手段４０の構成を部分的に変更して、両手段をボビンの側方に回転軸３５とは別個に設けた場合の他の実施形態について説明する。なお、前記第２実施形態のコードリール３０と同一部材には同一符号を付してその詳細な説明を省略する。
【００５２】
（１）図１４〜図１７に示すコードリール３０Ａでは、前記第２実施形態と同様に第１ボビン３３Ａと第２ボビン３４Ａとが回転軸３５Ａに同軸上に設けられ、第１ボビン３３Ａと第２ボビン３４Ａには相互に逆方向にコード３１が巻装されるが、前記第２実施形態とは異なり、回転軸３５Ａと両ボビン３３Ａ、３４Ａ間にはボビン連動手段３７や解除手段４０は設けられず、第１ボビン３３Ａと第２ボビン３４Ａとは単純に回転軸３５Ａに対して相対回転自在に支持されている。
【００５３】
このコードリール３０Ａのボビン連動手段５０について説明すると、第１ボビン３３Ａの上部ガイド板３３ｂの外周部には第１歯車５１が形成され、第２ボビン３４Ａの上部ガイド板３３ｂの外周部には第２歯車５２が形成されている。両ボビン３３Ａ、３４Ａの側方においてケーシング４２Ａの上壁部と下壁部間には軸部材５３が回転自在に設けられ、軸部材５３の途中部には第１歯車５１に噛合する第１連動歯車５４が軸部材５３に対して相対回転自在で且つ上下方向に移動自在に設けられ、軸部材５３の下部には第２歯車５２に噛合する第２連動歯車５５が一体的に形成されている。
【００５４】
第１連動歯車５４と第２連動歯車５５の対面部には、両ボビン３３Ａ、３４Ａの巻取方向への相対回転を規制する規制手段５６と、コード３１の繰出方向への操作力が設定値以下のときには両ボビン３３Ａ、３４Ａを一体的に連動回転させ、設定値を超えるときには、両ボビン３３Ａ、３４Ａの連動回転を解除する連動操作手段５７とが設けられている。規制手段５６及び連動操作手段５７は、前記第２実施形態の規制部３３ｊ、３５ｊ及び連動操作部３３ｋ、３５ｋと同様の構成の規制部５４ｊ、５５ｊ及び連動操作部５４ｋ、５５ｋを備えている。具体的には、両連動歯車５４、５５の対面部には軸心直交方向の環状の平坦面５４ｆが形成され、平坦面５４ｆには周方向に対して１８０度の間隔をあけて２つの突部５４ｇ、５５ｇが突出状に形成され、規制手段５６は、突部５４ｇ、５５ｇの周方向の一端部に形成した規制部５４ｊ、５５ｊで構成され、連動操作手段５７は、突部５４ｇ、５５ｇの周方向の他端部に形成した連動操作部５４ｋ、５５ｋで構成されている。
【００５５】
軸部材５３は上下方向に一定距離移動自在に設けられ、軸部材５３の下端部には下方へ突出する解除手段としての操作部５３ａが一体的に形成され、第１歯車５１とケーシング４２Ａの上壁部間において軸部材５３の上部には、第１連動歯車５４を介して軸部材５３を下方へ付勢する圧縮コイルバネからなる連動用付勢手段５８が外装され、この連動用付勢手段５８により第１連動歯車５４の対面部と第２連動歯車５５の対面部とが圧接され、連動用付勢手段５８の付勢力に抗して、操作部５３ａを上方へ押し操作すると、第２歯車５２が軸部材５３とともに上方へ移動して、第２歯車５２と第２連動歯車５５との噛合が解除されるように構成されている。
【００５６】
このコードリール３０Ａでは、コード３１を繰出操作していないときには、図１５に示すように、ボビン付勢手段３６による巻取方向への付勢力で、第１連動歯車５４の規制部５４ｊと第２連動歯車５５の規制部５５ｊとが係合して、第１連動歯車５４に噛合する第１ボビン３３Ａと、第２連動歯車５５に噛合する第２ボビン３４Ａの巻取方向への相対回転が規制される。
【００５７】
一方、ボビン付勢手段３６の付勢力に抗して少なくとも一方のコード３１を繰出操作すると、第１ボビン３３Ａと第２ボビン３４Ａの少なくとも一方が繰出方向に移動しようとするが、このときの操作力が、ボビン付勢手段３６と連動用付勢手段５８の合計の付勢力からなる設定値以下の場合には、繰出操作したが繰出方向に多少回転するものの、それ以上の相対回転が規制部５４ｊ、５５ｊにより規制され、第１ボビン３３Ａと第２ボビン３４Ａとが一塊になって同方向へ回転することになる。ここで、両ボビン３３Ａ、３４Ａには相互に逆方向にコード３１が巻装されているので、一方のボビンからコード３１を繰出すと、他方のボビンにコード３１が巻き取られることになる。しかし、操作力が設定値を越えると、図１６に示すように、第１連動歯車５４の連動操作部５４ｋが第２連動歯車５５の連動操作部５５ｋを順次乗り越えて、繰出操作したボビンからのみコード３１を繰出すことができ、繰出方向へのコード３１の操作力を緩めると、最寄の規制部５４ｊ、５５ｊ同士が係合して、両ボビン３３Ａ、３４Ａが一塊となり、コード３１が繰出した状態に保持されることになる。
【００５８】
このように、このコードリール３０Ａでは、第２実施形態と同様に、設定値を越える操作力でコード３１を繰出方向に操作すると、繰出操作したボビンからコード３１が繰出されることになる。そして、コード３１を繰出した状態で、設定値以下の操作力で一方のコード３１を繰出方向へ操作すると、第１ボビン３３Ａと第２ボビン３４Ａとが一塊になって回転して、一方のボビンが繰出方向に回転すると、他方のボビンが巻取方向に回転し、あたかも定尺な一本のコード３１に沿ってコードリール本体３２Ａが左右に移動したかのように、コード３１の全長が略一定に維持された状態で、両方のコード３１の長さが同時に調整される。また、繰出したコード３１をボビンに巻き取る際には、操作部５３ａを上側へ押し操作して、図１７に示すように、規制部５４ｊ、５５ｊ及び連動操作部５４ｋ、５５ｋを相互に離間させ、ボビン付勢手段３６により第１及び第２ボビン３３Ａ、３４Ａを巻取方向に回転させて、コードリール本体３２Ａに対してコード３１を巻き取ることになる。
【００５９】
（２）図１８〜図２０に示すコードリール３０Ｂでは、前記第２実施形態と同様に第１ボビン３３Ｂと第２ボビン３４Ｂとが回転軸３５Ｂに同軸上に設けられ、第１ボビン３３Ｂと第２ボビン３４Ｂには相互に逆方向にコード３１が巻装されるが、前記第２実施形態とは異なり、回転軸３５Ｂと両ボビン３３Ｂ、３４Ｂ間にはボビン連動手段３７や解除手段４０は設けられず、第１ボビン３３Ｂと第２ボビン３４Ｂとは単純に回転軸３５Ｂに対して相対回転自在に支持されている。
【００６０】
このコードリール３０Ｂのボビン連動手段６０について説明すると、第１ボビン３３Ｂの下部ガイド板３３ｃの外周部には第１歯車６１が形成され、第２ボビン３４Ｂの上部ガイド板３３ｂの外周部には第２歯車６２が形成されている。両ボビン３３Ｂ、３４Ｂの側方においてケーシング４２Ｂの上壁部と下壁部間には枢支軸６３が回転軸３５Ｂと平行に設けられ、枢支軸６３には左右両側へ延びる操作レバー６４が回動自在に支持されている。操作レバー６４の右端部にはケーシング４２Ｂ外へ突出する解除手段としての操作部６４ａが形成され、操作レバー６４の左端部とケーシング４２Ｂの側壁間には圧縮コイルバネからなる連動用付勢手段６５が設けられ、連動用付勢手段６５と枢支軸６３間において操作レバー６４には軸部材６６が回転軸３５Ｂと平行に回転自在に設けられ、軸部材６６の途中部には第１歯車６１及び第２歯車６２に噛合する連動歯車６７が軸部材６６と一体的に設けられている。連動用付勢手段６５により、連動歯車６７は第１歯車６１と第２歯車６２とに噛合する方向へ常時付勢され、また操作部６４ａはケーシング４２Ｂ外へ突出する方向へ常時付勢されており、操作部６４ａを押し操作することで、図１９に示すように操作レバー６４が回動して、連動歯車６７が第１及び第２歯車６１、６２から離間するように構成されている。
【００６１】
このコードリール３０Ｂでは、コード３１を繰出操作していないときには、図１８に示すように、ボビン付勢手段３６による巻取方向への付勢力で、第１ボビン３３Ｂと第２ボビン３４Ｂとが逆方向に回転しようとするが、第１及び第２歯車６１、６２が連動歯車６７に噛合していることから、両ボビン３３Ｂ、３４Ｂの逆方向への相対回転が規制されることになる。
【００６２】
一方、ボビン付勢手段３６の付勢力に抗して少なくとも一方のコード３１を繰出操作すると、第１ボビン３３Ｂと第２ボビン３４Ｂの少なくとも一方が繰出方向に移動しようとするとともに、連動歯車６７と第１及び第２歯車６１、６２との噛合部において、連動歯車６７の歯部が第１及び第２歯車６２の歯部から外側へ離脱しようとする力が連動歯車６７に作用するが、このときのコード３１の操作力が、ボビン付勢手段３６と連動用付勢手段６５の合計の付勢力に応じた設定値以下の場合には、第１及び第２歯車６１、６２と連動歯車６７との噛合が維持されて、両ボビン３３Ｂ、３４Ｂの相対回転が規制され、第１ボビン３３Ｂと第２ボビン３４Ｂとが一塊になって同方向へ回転することになる。ここで、両ボビン３３Ｂ、３４Ｂには相互に逆方向にコード３１が巻装されているので、一方のボビンからコード３１を繰出すと、他方のボビンにコード３１が巻き取られることになる。しかし、操作力が設定値を越えると、図１９に示すように、連動歯車６７の歯部が第１及び第２歯車６１、６２の歯部から外側へ離脱して、連動歯車６７の歯部が第１及び第２歯車６１、６２の歯部を順次乗り越えて、繰出操作したボビンからのみコード３１を繰出すことができ、繰出方向へのコード３１の操作力を緩めると、連動歯車６７の歯部が最寄の第１及び第２歯車６１、６２の歯部に係合して、両ボビン３３Ｂ、３４Ｂが一塊となり、コード３１が繰出した状態に保持されることになる。
【００６３】
このように、このコードリール３０Ｂでは、第２実施形態と同様に、設定値を越える操作力でコード３１を繰出方向に操作すると、繰出操作したボビンからコード３１が繰出されることになる。そして、コード３１を繰出した状態で、設定値以下の操作力で一方のコード３１を繰出方向へ操作すると、第１ボビン３３Ｂと第２ボビン３４Ｂとが一塊になって回転して、一方のボビンが繰出方向に回転すると、他方のボビンが巻取方向に回転し、あたかも定尺な一本のコード３１に沿ってコードリール本体３２Ｂが左右に移動したかのように、コード３１の全長が略一定に維持された状態で、両方のコード３１の長さが同時に調整される。また、繰出したコード３１をボビンに巻き取る際には、操作部６４ａを押し操作して、図１９に示すように、連動歯車６７を第１及び第２歯車６１、６２から離間させ、ボビン付勢手段３６により第１及び第２ボビン３３Ｂ、３４Ｂを巻取方向に回転させて、コードリール本体３２Ｂに対してコード３１を巻き取ることになる。
【００６４】
（３）前記第１及び第２実施の形態では、ボビン付勢手段とコードとを回転軸の軸方向の異なる位置に配置させたが、ボビンの中央部側にボビン付勢手段を配置させ、ボビンの外周側にコードを配置させて、コードリールを回転軸の軸方向に薄肉に構成することも可能である。例えば、図２１に示すコードリール３０Ｃのように、第１ボビン３３に代えて、スリーブ３３ａと上部ガイド部３３ｂと収容筒部３３ｄとを省略するとともに、下部ガイド板３３ｃの半径方向の途中部に内外１対の略円筒状の仕切り部７０、７１を上方へ突出状に形成した第１ボビン３３Ｃを用い、内側の仕切り部７０の内側に渦巻きバネからなるボビン付勢手段３６を収容して、ボビン付勢手段３６の中央部側の端部を回転軸３５Ｃに固定するとともに、ボビン付勢手段３６の外周側の端部を仕切り部７０に固定し、外側の仕切り部７１にコード３１を巻装し、両仕切り部７０、７１間において接続手段４１の内外の接点リング４５、４６をコード３１に電気的に接続するように構成してもよい。この場合には、第１ボビン３３Ｃに巻装されるコード３１が第２ボビン３４に巻装されるコード３１よりも短尺になるので、例えばイヤフォンに適用する場合には、ジャック側のコードを第１ボビン３３Ｃに巻装し、イヤフォン側のコードを第２ボビン３４に巻装することで、必要な長さのコードを確保しつつ、コードリール本体３２Ｃを回転軸３５Ｃの軸方向に小型に構成することができる。
【００６５】
（４）前記第２実施の形態のコードリール３０、３０Ｃでは、連動用付勢手段４３の下端部をケーシング４２で直接的に受け止めるように構成したが、図２２に示すコードリール３０Ｄのコードリール本体３２Ｄのように、第２ボビン３４のスリーブ３４ａの内側に回転軸３５Ｃの鍔部３５ｂに外嵌する内スリーブ３４ｄを第２ボビン３４と一体的に形成し、この内スリーブ３４ｄの下端部に内側へ延びて下側軸部３５ｄに外嵌するバネ受け部３４ｅを形成し、鍔部３５ｂとバネ受け部３４ｅ間において下側軸部３５ｄに軸部材３５Ｃを上側へ付勢する連動用付勢手段４３を外嵌状に設け、連動用付勢手段４３の下端部をバネ受け部３４ｅを介してケーシング４２で受け止めるように構成することもできる。この場合には、連動用付勢手段４３の下端部がケーシング４２上を直接的に摺動することを防止して、バネ受け部３４ｅを介して連動用付勢手段４３の付勢力をケーシング４２で受け止めることができ、軸部材３５Ｃ及び第２ボビン３４の回転が円滑になるので好ましい。
【００６６】
尚、前記他の実施形態では、歯車により回転力を伝達するように構成したが、回転力を相互に伝達できる構成のものであれば、歯車以外の任意の構成、例えば、摩擦により回転力を伝達可能なゴムリングを外周部に設けたローラや、外周部に相互に凹凸嵌合する凹部と凸部とを備えたローラなどを採用することもできる。また、前記他の実施形態では、コード３１として２本の電線からなるものを用いたが、３本以上の電線からなるコード３１に対しても、電線の本数に応じてリング及び接続片の個数を設定することで、本発明を同様に適用できる。また、下部ガイド板３３ｃの下面に内外の接点リング４５、４６を直接的に固定したが、内外の接点リング４５、４６をエッチング等で形成した配線基板や配線フィルムを下部ガイド板３３ｃの下面に固定することも好ましい実施の形態である。
【図面の簡単な説明】
【００６７】
【図１】第１実施形態に係るコードリールの斜視図
【図２】同コードリールの分解斜視図
【図３】同コードリールの回転軸での横断面図
【図４】同コードリールの前側の分割ケースを取り外した状態での正面図
【図５】同コードリールの後側の分割ケースを取り外した状態での背面図
【図６】同コードリールのボビン連動手段の解除状態での作動説明図
【図７】同コードリールのボビン連動手段の連動解除状態での作動説明図
【図８】（ａ）〜（ｃ）は同コードリールの作動説明図
【図９】第２実施形態に係るコードリールの斜視図
【図１０】同コードリールの分解斜視図
【図１１】同コードリールの回転軸における縦断面図
【図１２】（ａ）〜（ｅ）は同コードリールのボビン連動手段の作動説明図
【図１３】（ａ）〜（ｃ）は同コードリールの作動説明図
【図１４】他の実施形態に係るコードリールの横断面図
【図１５】図１４のXV-XV線断面図
【図１６】同コードリールのコード繰出操作状態での作動説明図
【図１７】同コードリールの解除状態での作動説明図
【図１８】他の実施形態に係るコードリールの横断面図
【図１９】同コードリールの解除状態での作動説明図
【図２０】図１８のXX-XX線断面図
【図２１】他の実施形態に係るコードリールの横断面図
【図２２】他の実施形態に係るコードリールの横断面図
【符号の説明】
【００６８】
１      コードリール        ２      コード
２ａ    端子                ３      コードリール本体
４      第１ボビン          ４ａ    回転軸
４ｂ    前部ガイド板        ４ｃ    第１歯車
４ｄ    後部ガイド板        ４ｅ    筒部
４ｆ    係止部              ４ｇ    スリーブ
４ｈ    係合孔              ４ｊ    スリット
５      第２ボビン          ５ａ    回転軸
５ｂ    前部ガイド板        ５ｃ    第１歯車
５ｄ    後部ガイド板        ５ｅ    筒部
５ｆ    係止部              ５ｇ    スリーブ
５ｈ    係合孔              ５ｊ    スリット
６      ボビン付勢手段      ６ａ    ボビン付勢手段
６ｂ    ボビン付勢手段      ７      ボビン連動手段
８      回転連動手段        ９      連動操作手段
１０    解除手段            １１    接続手段
１２    ケーシング          １２ａ  排出孔
１２ｂ  支持孔              １２ｃ  案内壁部
１２ｄ  係止ピン            １２ｅ  係止ピン
１５    連動歯車            １５ａ  支軸
１６    操作部材            １６ａ  操作部
１６ｂ  脚部                １６ｃ  ガイドピン
１７    連動用付勢手段      １８    内接点リング
１９    外接点リング        ２０    絶縁シート
２１    内接続片            ２２    外接続片
３０    コードリール        ３１    コード
３１ａ  端子                ３２    コードリール本体
３３    第１ボビン          ３３ａ  スリーブ
３３ｂ  上部ガイド板        ３３ｃ  下部ガイド板
３３ｄ  収容筒部            ３３ｅ  切欠部
３３ｆ  平坦面              ３３ｇ  突部
３３ｊ  規制部              ３３ｋ  連動操作部
３４    第２ボビン          ３４ａ  スリーブ
３４ｂ  上部ガイド板        ３４ｃ  係止孔
３５    回転軸              ３５ａ  スリット
３５ｂ  鍔部                ３５ｃ  係止突部
３５ｄ  下側軸部            ３５ｊ  規制部
３５ｋ  連動操作部          ３５ｆ  平坦面
３５ｇ  突部
３６    ボビン付勢手段      ３７    ボビン連動手段
３８    規制手段            ３９    連動操作手段
４０    解除手段            ４１    接続手段
４２    ケーシング          ４２ａ  排出孔
４２ｂ  支持孔              ４３    連動用付勢手段
４４    操作キャップ        ４４ａ  フランジ部
４５    内接点リング        ４６    外接点リング
４７    絶縁シート          ４８    内接続片
４９    外接続片
３０Ａ  コードリール        ３２Ａ  コードリール本体
３３Ａ  第１ボビン          ３４Ａ  第２ボビン
３５Ａ  回転軸              ４２Ａ  ケーシング
５０    ボビン連動手段      ５１    第１歯車
５２    第２歯車            ５３    軸部材
５３ａ  操作部              ５４    第１連動歯車
５４ｆ  平坦面              ５４ｇ  突部
５４ｊ  規制部              ５４ｋ  連動操作部
５５    第２連動歯車        ５５ｆ  平坦面
５５ｇ  突部                ５５ｊ  規制部
５５ｋ  連動操作部          ５６    規制手段
５７    連動操作手段        ５８    連動用付勢手段
３０Ｂ  コードリール        ３２Ｂ  コードリール本体
３３Ｂ  第１ボビン          ３４Ｂ  第２ボビン
３５Ｂ  回転軸              ４２Ｂ  ケーシング
６０    ボビン連動手段      ６１    第１歯車
６２    第２歯車            ６３    枢支軸
６４    操作レバー          ６４ａ  操作部
６５    連動用付勢手段      ６６    軸部材
６７    連動歯車
３０Ｃ  コードリール        ３２Ｃ  コードリール本体
３３Ｃ  第１ボビン          ３５Ｃ  回転軸
７０    仕切り部            ７１    仕切り部
３０Ｄ  コードリール        ３２Ｄ  コードリール本体
３４ｄ  内スリーブ          ３４ｅ  バネ受け部
【図１】
2010180055.tif 000003
【図２】
2010180055.tif 000004
【図３】
2010180055.tif 000005
【図４】
2010180055.tif 000006
【図５】
2010180055.tif 000007
【図６】
2010180055.tif 000008
【図７】
2010180055.tif 000009
【図８】
2010180055.tif 000010
【図９】
2010180055.tif 000011
【図１０】
2010180055.tif 000012
【図１１】
2010180055.tif 000013
【図１２】
2010180055.tif 000014
【図１３】
2010180055.tif 000015
【図１４】
2010180055.tif 000016
【図１５】
2010180055.tif 000017
【図１６】
2010180055.tif 000018
【図１７】
2010180055.tif 000019
【図１８】
2010180055.tif 000020
【図１９】
2010180055.tif 000021
【図２０】
2010180055.tif 000022
【図２１】
2010180055.tif 000023
【図２２】
2010180055.tif 000024